(57)【特許請求の範囲】
【請求項１】
受信した情報を出力する端末であって、
他の装置と通信するための通信手段と、
前記通信手段に接続され、前記他の装置から情報を受信するための受信手段と、
前記受信手段により情報を受信したことを出力するための出力手段とを備え、
前記情報は、当該情報に対応して前記端末が起動するアプリケーションの種類を指す所定データを含み、
前記端末はさらに、
受信した情報を表示する必要性を表わす度合いを、前記受信した情報に含まれる前記所定データに基づいて判断するための判断手段と、
前記判断手段と前記出力手段とに接続され、前記度合いに基づいて、情報を受信したことを出力するように、前記出力手段を制御するための制御手段とを備える、端末。
【請求項２】
受信した情報を出力する端末であって、
他の装置と通信するための通信手段と、
前記通信手段に接続され、前記他の装置から情報を受信するための受信手段と、
前記受信手段により情報を受信したことを出力するための出力手段とを備え、
前記情報は、スケジュールの時刻を指す所定データを含み、
前記端末はさらに、
受信した情報を表示する必要性を表わす度合いを、前記受信した情報に含まれる前記所定データが指す前記スケジュールの時刻と当該情報の受信時刻との差に基づいて判断するための判断手段と、
前記判断手段と前記出力手段とに接続され、前記度合いに基づいて、情報を受信したことを出力するように、前記出力手段を制御するための制御手段とを備える、端末。
【請求項３】
受信した情報を出力する端末であって、
他の装置と通信するための通信手段と、
前記通信手段に接続され、前記他の装置から情報を受信するための受信手段と、
前記受信手段により情報を受信したことを出力するための出力手段とを備え、
前記情報は、当該情報の種類を指す所定データを含み、
前記端末はさらに、
受信した情報を表示する必要性を表わす度合いを、前記受信した情報に含まれる前記所定データが指す前記情報の種類と、所定指標に基づいて判断するための判断手段と、
前記判断手段と前記出力手段とに接続され、前記度合いに基づいて、情報を受信したことを出力するように、前記出力手段を制御するための制御手段とを備え、
前記所定指標は、前記情報の種類それぞれに対応して前記端末の種類に基づいて定められた前記度合いを指す、端末。
【請求項４】
前記制御手段は、前記度合いが高いほど認知しやすく、前記情報を受信したことを出力するように、前記出力手段を制御するための手段を含む、請求項１から３のいずれかに記載の端末。
【請求項５】
前記出力手段は、異なる知覚により検知される複数の手段を含み、
前記制御手段は、前記度合いが高いと、前記出力手段に含まれる１以上の手段を選択して、選択された手段を用いて、前記情報を受信したことを出力するように、前記出力手段を制御するための手段を含む、請求項１から３のいずれかに記載の端末。
【請求項６】
前記端末は、前記受信手段により受信した複数の情報を一度に表示するための表示手段をさらに備える、請求項１から３のいずれかに記載の端末。
【請求項７】
受信した情報を出力する端末における情報出力方法であって、
他の装置から情報を受信する受信ステップと、
前記受信ステップにて情報を受信したことを出力する出力ステップとを備え、
前記情報は、当該情報に対応して前記端末が起動するアプリケーションの種類を指す所定データを含み、
前記情報出力方法はさらに、
受信した情報を表示する必要性を表わす度合いを、前記受信した情報に含まれる前記所定データに基づいて判断する判断ステップと、
前記度合いに基づいて、情報を受信したことを出力するように、前記出力ステップを制御する制御ステップとを備える、情報出力方法。
【請求項８】
受信した情報を出力する端末における情報出力方法であって、
他の装置から情報を受信する受信ステップと、
前記受信ステップにて情報を受信したことを出力する出力ステップとを備え、
前記情報は、スケジュールの時刻を指す所定データを含み、
前記情報出力方法はさらに、
受信した情報を表示する必要性を表わす度合いを、前記受信した情報に含まれる前記所定データが指す前記スケジュールの時刻と情報の受信時刻との差に基づいて判断する判断ステップと、
前記度合いに基づいて、情報を受信したことを出力するように、前記出力ステップを制御する制御ステップとを備える、情報出力方法。
【請求項９】
受信した情報を出力する端末における情報出力方法であって、
他の装置から情報を受信する受信ステップと、
前記受信ステップにて情報を受信したことを出力する出力ステップとを備え、
前記情報は、当該情報の種類を指す所定データを含み、
前記情報出力方法はさらに、
受信した情報を表示する必要性を表わす度合いを、前記受信した情報に含まれる前記所定データが指す前記情報の種類と、所定指標に基づいて判断する判断ステップと、
前記度合いに基づいて、情報を受信したことを出力するように、前記出力ステップを制御する制御ステップとを備え、
前記所定指標は、前記情報の種類それぞれに対応して前記端末の種類に基づいて定められた前記度合いを指す、情報出力方法。
【請求項１０】
前記制御ステップは、前記度合いが高いほど認知しやすく、前記情報を受信したことを出力するように、前記出力ステップを制御するステップを含む、請求項７から９のいずれかに記載の情報出力方法。
【請求項１１】
前記出力ステップは、異なる知覚により検知される複数のステップを含み、
前記制御ステップは、前記度合いが高いと、前記出力ステップに含まれる１以上のステップを選択して、選択されたステップを用いて、前記情報を受信したことを出力するように、前記出力ステップを制御するステップを含む、請求項７から９のいずれかに記載の情報出力方法。
【請求項１２】
前記情報出力方法は、前記受信ステップにて受信した複数の情報を一度に表示する表示ステップをさらに備える、請求項７から９のいずれかに記載の情報出力方法。
【請求項１３】
情報を出力するためのプログラムであって、前記プログラムは、コンピュータに、
他の装置から情報を受信する受信手順と、
前記受信手順にて情報を受信したことを出力する出力手順とを実行させ、
前記情報は、当該情報に対応して前記コンピュータが起動するアプリケーションの種類を指す所定データを含み、
前記プログラムはさらに前記コンピュータに、
受信した情報を表示する必要性を表わす度合いを、前記受信した情報に含まれる前記所定データに基づいて判断する判断手順と、
前記度合いに基づいて、情報を受信したことを出力するように、前記出力手順を制御する制御手順とを実行させる、プログラム。
【請求項１４】
情報を出力するためのプログラムであって、前記プログラムは、コンピュータに、
他の装置から情報を受信する受信手順と、
前記受信手順にて情報を受信したことを出力する出力手順とを実行させ、
前記情報は、スケジュールの時刻を指す所定データを含み、
前記プログラムはさらに前記コンピュータに、
受信した情報を表示する必要性を表わす度合いを、前記受信した情報に含まれる前記所定データが指す前記スケジュールの時刻と情報の受信時刻との差に基づいて判断する判断手順と、
前記度合いに基づいて、情報を受信したことを出力するように、前記出力手順を制御する制御手順とを実行させる、プログラム。
【請求項１５】
情報を出力するためのプログラムであって、前記プログラムは、コンピュータに、
他の装置から情報を受信する受信手順と、
前記受信手順にて情報を受信したことを出力する出力手順とを実行させ、
前記情報は、当該情報の種類を指す所定データを含み、
前記プログラムはさらに前記コンピュータに、
受信した情報を表示する必要性を表わす度合いを、前記受信した情報に含まれる前記所定データが指す前記情報の種類と、所定指標に基づいて判断する判断手順と、
前記度合いに基づいて、情報を受信したことを出力するように、前記出力手順を制御する制御手順とを実行させ、
前記所定指標は、前記情報の種類それぞれに対応して前記端末の種類に基づいて定められた前記度合いを指す、プログラム。
【請求項１６】
前記制御手順は、前記度合いが高いほど認知しやすく、前記情報を受信したことを出力するように、前記出力手順を制御する手順を含む、請求項１３から１５のいずれかに記載のプログラム。
【請求項１７】
前記出力手順は、異なる知覚により検知される複数の手順を含み、
前記制御手順は、前記度合いが高いと、前記出力手順に含まれる１以上の手順を選択して、選択された手順を用いて、前記情報を受信したことを出力するように、前記出力手順を制御する手順を含む、請求項１３から１５のいずれかに記載のプログラム。
【請求項１８】
前記プログラムはさらに前記コンピュータに、前記受信手順にて受信した複数の情報を一度に表示する表示手順を実行させるプログラムを含む、請求項１３から１５のいずれかに記載のプログラム。
【発明の詳細な説明】
【０００１】
【発明の属する技術分野】
本発明は、通信機能を有する端末に関し、特に、他の装置から情報を受信すると、受信したことをその端末のユーザに報知する端末に関する。
【０００２】
【従来の技術】
最近、メール送受信機能、スケジュール管理機能、アドレス帳管理機能およびインターネットを介して受信した情報を閲覧するためのブラウザ機能などの多くの機能を有するＰＤＡ（Personal Digital Assistant）が市場に出回っている。このようなＰＤＡは、他の装置からメールデータ、スケジュールデータ、アドレスデータおよびブラウザデータを受信する。ユーザは、受信したデータに対応するアプリケーションを選択して起動させることにより、ユーザは、受信したデータの内容を確認する。
【０００３】
ＰＤＡを含むコンピュータの記憶回路は、年々その容量が増えて、コンピュータには、非常に多くのデータが記憶される。このような場合、どのデータが更新されたデータであるのか否かを判断するためには、そのデータに対応したアプリケーションを起動して内容を確認しなければならない。どのデータが更新されたのかを確認するために、アプリケーションを起動させることは、面倒である。
【０００４】
このような課題を解決するために、特開平１１−５３２３７号公報は、更新されたデータファイルをユーザに報知する方法を開示する。この公報に開示された方法は、データファイルの更新を監視する更新監視ステップと、更新監視ステップにてデータファイルの更新が検知されると、更新されたデータファイルに対応する起動ボタンの表示を変更する表示変更ステップとを含む。
【０００５】
この方法によると、データファイルが更新されると、そのアイコンなどの表示が変更され、ユーザはデータファイルになんらかの変更があったことがわかる。ユーザは、変更されたデータファイルに対応するアプリケーションを起動して、その内容を確認することにより、変更された内容を認知する。
【０００６】
【発明が解決しようとする課題】
しかしながら、この方法によると、ユーザには、データファイルが更新されたか否かしか報知されない。複数のデータファイルが更新されると、ユーザは変更された内容に関係なく、順番にアプリケーションを起動して、更新された内容を確認する必要がある。上述したＰＤＡにおいて、短い時間に多くのデータを受信して、記憶していたデータが、受信したデータに置換えられた場合にも、同じように、変更された内容に関係なく、アプリケーションを起動して、順番に内容を確認する必要がある。重要性の高い更新とそうではない更新とが混在する場合、ユーザはより早く重要性の高い更新を確認したいが、それができない。
【０００７】
本発明は、上述の課題を解決するためになされたものであって、他の装置から情報を受信した場合、ユーザが受信した内容を確認するか否かを判断しやすいように、情報を受信したことを出力する、端末、端末における情報出力方法および情報を出力するためのプログラムを提供することである。
【０００８】
【課題を解決するための手段】
この発明のある局面に従う端末は、他の装置と通信するための通信手段と、通信手段に接続され、他の装置から情報を受信するための受信手段と、受信手段により情報を受信したことを出力するための出力手段とを備える。情報は、受信手段により受信した情報を出力するか否かを、端末が判断するための所定データを含む。端末はさらに、受信した情報を表示する必要性を表わす度合いを、受信した情報に含まれる所定データに基づいて判断するための判断手段と、判断手段と出力手段とに接続され、度合いに基づいて、情報を受信したことを出力するように、出力手段を制御するための制御手段とを備える。
【０００９】
発明によると、他の装置から受信した情報に含まれる、端末が受信した情報を出力するか否かを判断するための所定データに基づいて、判断手段が度合いを判断する。この度合いは、ユーザにとって、受信した情報を出力する必要性を表わす。たとえば、所定データとして重要性が高いというフラグが付加されたメールを受信すると、判断手段は、その度合いを高く判断する。制御手段は、たとえば、度合いが高いほどユーザが認知しやすいように、情報を受信したことを出力手段に出力させる。これにより、ユーザにとって表示させる必要性が高い情報ほど、ユーザが認知しやすく、その情報を受信したことが出力される。その結果、他の装置から情報を受信した場合、ユーザが受信した内容を確認するか否かを判断しやすいように、情報を受信したことを出力する端末を提供することができる。
【００１０】
好ましくは、制御手段は、度合いが高いほど認知しやすく、情報を受信したことを出力するように、出力手段を制御するための手段を含む。
【００１１】
この発明によると、ユーザにとって表示させる必要性が高い情報ほど、ユーザが認知しやすく、その情報を受信したことが出力されて、ユーザはその情報の内容を早く確認できる。
【００１２】
好ましくは、出力手段は、異なる知覚により検知される複数の手段を含む。制御手段は、度合いが高いと、出力手段に含まれる１以上の手段を選択して、選択された手段を用いて、情報を受信したことを出力するように、出力手段を制御するための手段を含む。
【００１３】
この発明によると、度合いが高いと、複数の出力手段、たとえば、端末の発光部から光が発光してユーザの視覚により検知される手段、端末のスピーカから警告音が発生してユーザの聴覚により検知される手段、端末自体が振動してユーザの触覚により検知される手段の中から１以上の手段が選択されて、選択された手段により、情報を受信したことが出力される。これにより、度合いが高いほど、ユーザが認知しやすい手段、多くの種類の手段を用いて、情報を受信したことをユーザに確実に報知できる。
【００１４】
好ましくは、所定データは、情報の内容に基づいて作成された重要度、端末の種類により定められた需要度および情報の作成時に設定された重要度のいずれかを表わすデータである。判断手段は、重要度が高いほど、度合いが高くなるように、判断するための手段を含む。
【００１５】
この発明によると、たとえば、重要度は、メールの送信者自身が定めたり、端末の種類や送信される情報に対応するアプリケーションの種類により定められる。この重要度が高いと度合いが高く判断されて、ユーザにそのような情報を受信したことが報知できる。
【００１６】
好ましくは、所定データは、情報に含まれるデータ量を表わすデータである。判断手段は、情報量が多いほど、度合いが高くなるように、判断するための手段を含む。
【００１７】
この発明によると、情報に含まれるデータ量が多いと、様々な内容を含むため度合いが高く判断されて、ユーザにそのような情報を受信したことが報知できる。
【００１８】
好ましくは、受信手段により受信した複数の情報を一度に表示するための表示手段をさらに含む。
【００１９】
この発明によると、表示手段には、受信した複数の情報が一度に表示される。ユーザは、受信した情報の中から度合いの高い順に、内容を確認することができる。
【００２０】
この発明の他の局面に従う情報出力方法は、他の装置から情報を受信する受信ステップと、受信ステップにて情報を受信したことを出力する出力ステップとを含む。情報は、受信ステップにて受信した情報を出力するか否かを、端末が判断するための所定データを含む。情報出力方法はさらに、所定データに基づいて、受信した情報を表示する必要性を表わす度合いを判断する判断ステップと、度合いに基づいて、情報を受信したことを出力するように、出力ステップを制御する制御ステップとを含む。
【００２１】
この発明によると、他の装置から受信した情報に含まれる、端末が受信した情報を出力するか否かを判断するための所定データに基づいて、判断ステップにて度合いが判断される。この度合いは、受信した情報を出力する必要性を表わす。たとえば、所定データとして重要性が高いというフラグが付加されたメールを受信すると、判断ステップは、その度合いを高く判断する。制御ステップは、たとえば、度合いが高いほどユーザが認知しやすいように、情報を受信したことを出力ステップにて出力させる。これにより、ユーザにとって表示させる必要性が高い情報ほど、ユーザが認知しやすく、その情報を受信したことが出力される。その結果、他の装置から情報を受信した場合、ユーザが受信した内容を確認するか否かを判断しやすいように、情報を受信したことを出力する情報出力方法を提供することができる。
【００２２】
好ましくは、制御ステップは、度合いが高いほど認知しやすく、情報を受信したことを出力するように、出力ステップを制御するステップを含む。
【００２３】
この発明によると、表示させる必要性が高い情報ほど、ユーザが認知しやすく、その情報を受信したことが出力されて、ユーザはその情報の内容を早く確認できる、情報出力方法を提供できる。
【００２４】
好ましくは、出力ステップは、異なる知覚により検知される複数のステップを含む。制御ステップは、度合いが高いと、出力ステップに含まれる１以上のステップを選択して、選択されたステップを用いて、情報を受信したことを出力するように、出力ステップを制御するステップを含む。
【００２５】
この発明によると、度合いが高いと、複数の出力ステップ、たとえば、端末の発光部から光が発光してユーザの視覚により検知されるステップ、端末のスピーカから警告音が発生してユーザの聴覚により検知されるステップ、端末自体が振動してユーザの触覚により検知されるステップの中から１以上のステップが選択されて、選択されたステップにより、情報を受信したことが出力される。これにより、度合いが高いほど、ユーザが認知しやすいステップ、多くの種類のステップを用いて、情報を受信したことをユーザに確実に報知できる。
【００２６】
好ましくは、所定データは、情報の内容に基づいて作成された重要度、端末の種類により定められた需要度および情報の作成時に設定された重要度のいすれかを表わすデータである。判断ステップは、重要度が高いほど、度合いが高くなるように、判断するステップを含む。
【００２７】
この発明によると、たとえば、重要度は、メールの送信者自身が定めたり、端末の種類や送信される情報に対応するアプリケーションの種類により定められる。この重要度が高いと度合いが高く判断されて、ユーザにそのような情報を受信したことが報知できる。
【００２８】
好ましくは、所定データは、情報に含まれるデータ量を表わすデータである。判断ステップは、データ量が多いほど、度合いが高くなるように、判断するステップを含む。
【００２９】
この発明によると、情報に含まれるデータ量が多いと、様々な内容を含むため度合いが高く判断されて、ユーザにそのような情報を受信したことが報知できる、情報出力方法を提供できる。
【００３０】
好ましくは、受信ステップにて受信した複数の情報を一度に表示する表示ステップをさらに含む。
【００３１】
この発明によると、表示ステップにて、受信した複数の情報が一度に表示される。ユーザは、受信した情報の中から度合いの高い順に、内容を確認することができる、情報出力方法を提供できる。
【００３２】
この発明のさらに他の局面に従うプログラムは、コンピュータに、他の装置から情報を受信する受信手順と、受信手順にて情報を受信したことを出力する出力手順とを実行させる。情報は、受信手順にて受信した情報を出力するか否かを、コンピュータが判断するための所定データを含む。プログラムはさらにコンピュータに、データに基づいて、受信した情報を表示する必要性を表わす度合いを判断する判断手順と、度合いに基づいて、情報を受信したことを出力するように、出力手順を制御する制御手順とを実行させる。
【００３３】
この発明によると、他の装置から受信した情報に含まれる、コンピュータが受信した情報を出力するか否かを判断するための所定データに基づいて、判断手順にて度合いが判断される。この度合いは、ユーザにとって、受信した情報を出力する必要性を表わす。たとえば、有益なデータとして重要性が高いというフラグが付加されたメールを受信すると、判断手順は、その度合いを高く判断する。制御手順は、たとえば、度合いが高いほどユーザが認知しやすいように、情報を受信したことを出力手順にて出力させる。これにより、ユーザにとって表示させる必要性が高い情報ほど、ユーザが認知しやすく、その情報を受信したことが出力される。その結果、他の装置から情報を受信した場合、ユーザが受信した内容を確認するか否かを判断しやすいように、情報を出力するためのプログラムを提供することができる。
【００３４】
好ましくは、制御手順は、度合いが高いほど認知しやすく、情報を受信したことを出力するように、出力手順を制御する手順を含む。
【００３５】
この発明によると、表示させる必要性が高い情報ほど、認知しやすく、その情報を受信したことが出力されて、ユーザはその情報の内容を早く確認できる、情報を出力するためのプログラムを提供できる。
【００３６】
好ましくは、出力手順は、異なる知覚により検知される複数の手順を含む。制御手順は、度合いが高いと、出力手順に含まれる１以上の手順を選択して、選択された手順を用いて、情報を受信したことを出力するように、出力手順を制御する手順を含む。
【００３７】
この発明によると、度合いが高いと、複数の出力手順、たとえば、コンピュータの発光部から光が発光してユーザの視覚により検知される手順、コンピュータのスピーカから警告音が発生してユーザの聴覚により検知される手順、コンピュータ自体が振動してユーザの触覚により検知される手順の中から１以上の手順が選択されて、選択された手順により、情報を受信したことが出力される。これにより、度合いが高いほど、ユーザが認知しやすい手順、多くの種類の手順を用いて、情報を受信したことをユーザに確実に報知できる。
【００３８】
好ましくは、所定データは、情報の内容に基づいて作成された重要度、コンピュータの種類により定められた需要度および情報の作成時に設定された重要度のいすれかを表わすデータである。判断手順は、重要度が高いほど、度合いが高くなるように、判断する手順を含む。
【００３９】
この発明によると、たとえば、重要度は、メールの送信者自身が定めたり、コンピュータの種類や送信される情報に対応するアプリケーションの種類により定められる。この重要度が高いと度合いが高く判断されて、ユーザにそのような情報を受信したことが報知できる。
【００４０】
好ましくは、所定データは、情報に含まれるデータ量を表わすデータである。判断手順は、データ量が多いほど、度合いが高くなるように、判断する手順を含む。
【００４１】
この発明によると、情報に含まれるデータ量が多いと、様々な内容を含むため度合いが高く判断されて、ユーザにそのような情報を受信したことが報知できる、情報を出力するためのプログラムを提供できる。
【００４２】
好ましくは、さらにコンピュータに、受信手順にて受信した複数の情報を一度に表示する表示手順を実行させる。
【００４３】
この発明によると、表示手順にて、受信した複数の情報が一度に表示される。ユーザは、受信した情報の中から度合いの高い順に、内容を確認することができる、情報を出力するためのプログラムを提供できる。
【００４４】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。
【００４５】
図１を参照して、本実施の形態に係る携帯端末１００は、この携帯端末１００の全体を制御する制御部１２０と、他の携帯端末１００やコンピュータと通信するための通信部１１０と、制御部１２０において実行されるプログラム、通信部１１０を介して受信したデータなどを記憶する記憶部１３０と、出力部１４０とを含む。本実施の形態に係る携帯端末１００は、他の携帯端末１００や他のコンピュータからデータを受信して、データを受信したことをユーザに報知する報知機能を有する。なお、携帯端末１００は、通信機能を有するＰＤＡ、メール送受信機能を有する携帯電話などを含む。
【００４６】
記憶部１３０は、制御部１２０で実行されるプログラムを記憶するプログラム記憶部１３２と、他の装置から受信したデータ、各種データベースおよび制御部１２０によりプログラムが実行されたときの中間データなどを記憶するデータ記憶部１３４とを含む。
【００４７】
出力部１４０は、データを表示する液晶モニタ１４２と、音を出力するスピーカ１４４と、光を発光するＬＥＤ（Light-Emitting Diode）１４６と、この携帯端末１００を振動させる振動機構１４８とを含む。また、携帯端末１００は、ユーザにより、各種の要求が入力される入力キーを有する。
【００４８】
既に述べたように、携帯端末１００は、他の装置からデータを受信すると、データを受信したことを携帯端末１００のユーザに報知する報知機能を有する。この報知機能は、携帯端末１００のハードウェアと、制御部１２０により実行されるソフトウェアとにより実現される。一般的にこうしたソフトウェアは、記憶部１３０にプログラムとして記憶されて、必要に応じて、制御部１２０が読み出して実行する。
【００４９】
携帯端末１００の制御部１２０は、コンピュータにより実現され、ＣＰＵおよびＯＳ（Operating System）を含み、プログラムを実行する環境を備えたものである。本発明のプログラムは、このようなコンピュータに、報知機能を実現するプログラムである。したがって本発明の最も本質的な部分は、各種のメモリなどの記録媒体に記録されたプログラムである。
【００５０】
図２を参照して、本実施の形態に係る携帯端末１００のデータ記憶部１３４に記憶される、受信データ構造データベースについて説明する。図２に示すように、受信データ構造データベースは、この携帯端末１００が通信部１１０を介して受信する受信データのデータ構造を規定したものである。図２に示すように、このデータベースは、データエリアと、そのデータエリアの容量と、メールデータ、スケジュールデータおよびアドレスデータごとに、それぞれのデータエリアに格納されている内容が記憶される。たとえば、メールデータの場合、第１データエリアにデータ種類識別符号が４バイトの容量で格納され、第２データエリアに、起動アプリケーション名（メーラ）が２０バイトの容量で格納され、第３データエリアに、メールの作成日時が２０バイトの容量で格納されていることが記憶される。また、第５データエリアには、２０バイトの容量で、メールデータの場合には件名が、スケジュールデータの場合には件名が、アドレスデータの場合には変更内容が格納されていることが記憶される。また、第６データエリアには、２０バイトの容量で、メールデータ、スケジュールデータおよびアドレスデータのいずれの場合にも、重要度が格納されていることが記憶される。また、第７データエリアには、２０バイトの容量で、メールデータ、スケジュールデータおよびアドレスデータのいずれの場合にも、データ量が格納されていることが記憶される。また、第８データエリアは、５０バイトの容量で、メールデータ、スケジュールデータおよびアドレスデータのいずれの場合にも、キーワードが格納されていることが記憶される。
【００５１】
図２に示すデータベースに記憶される重要度は、たとえばメールの送信者により「１」から「９」までの数値（数値が大きいほど重要度が高い）が設定される。また、データ種類識別符号により、この携帯端末１００が受信したデータの種類を識別することができる。
【００５２】
図３を参照して、データ記憶部１３４に記憶される指標判断データベースについて説明する。この指標判断データベースは、受信したデータの重要度、データ量などに基づいて、そのデータの指標を算出するためのものである。図３に示すように、このデータベースは、項目および指標ごとに、それぞれのデータの種類に対応して、重要度やデータ量を記憶する。たとえば、メールデータの場合、重要度が「高」と判断されるのは、図２に示す重要度が「７〜９」、「中」と判断されるのは重要度が「４〜６」、「低」と判断されるのは「１〜３」の場合である。また、ブラウザデータの場合、データ量に対する指標が「大」と判断されるのは「２００ＫＢ以上の場合」、「中」と判断されるのは「１００ＫＢ〜２００ＫＢ」の場合、「小」と判断されるのは「１００ＫＢ以下」の場合である。携帯端末１００は、受信したデータの種類を第１データエリアに格納されたデータ種類識別符号により判別し、第６データエリアに格納された重要度、第７データエリアに格納されたデータ量などを読出し、指標判断データベース（図３）を参照して、それぞれの項目の指標（「高」、「中」、「低」／「大」、「中」、「小」）を判断する。
【００５３】
図４を参照して、本実施の形態に係る携帯端末１００で実行されるプログラムは、以下のような制御構造を有する。
【００５４】
ステップ（以下、ステップをＳと略す。）１００にて、携帯端末１００の制御部１２０は、他の装置からデータを受信したか否かを判断する。他の装置からデータを受信すると（Ｓ１００にてＹＥＳ）、処理はＳ１０２へ移される。もしそうでないと（Ｓ１００にてＮＯ）、処理は１００へ戻され、他の装置からデータを受信するまで待つ。
【００５５】
Ｓ１０２にて、制御部１２０は、受信したデータの第１データエリアを読出す。Ｓ１０４にて、制御部１２０は、第１データエリアに格納されたデータ種類識別符号に基づいて、受信したデータの種類を判別する。
【００５６】
Ｓ１０６にて、制御部１２０は、判別されたデータの種類が、受信データ構造データベース（図２）に登録されたデータの種類であるか否かを判断する。判別されたデータ種類が、受信データ構造データベースに登録されたデータ種類である場合には（Ｓ１０６にてＹＥＳ）、処理はＳ１０８へ移される。もしそうでないと（Ｓ１０６にてＮＯ）、処理はＳ１１６へ移される。
【００５７】
Ｓ１０８にて、制御部１２０は、受信したデータの中から、指標判断に必要なデータエリアを読出す。具体的には、第１〜第８データエリアが読出される。Ｓ１１０にて、制御部１２０は、指標判断データベース（図３）と読出したデータ（第１〜第８データエリアに格納されたデータ）とに基づいて、各項目の指標を判断する。Ｓ１１２にて、制御部１２０は、受信したデータに、判断した各項目の指標を付加して、データ記憶部１３４に記憶する。このとき、データは、そのデータの種類に対応する、所定のフォルダに記憶される。
【００５８】
Ｓ１１４にて、制御部１２０は、各項目の指標に基づいて、液晶モニタ１４２にデータを出力させたり、スピーカ１４４に音声を出力させたり、ＬＥＤ１４６を発光させたり、振動機構１４８により携帯端末１００の本体を振動させたりする。このＳ１１４における処理は、たとえば、重要度の指標が「高」である場合にはスピーカ１４４、ＬＥＤ１４６および振動機構１４８を用いて、データを受信したことを携帯端末１００のユーザに報知する。重要度が「中」のデータを受信した場合には、スピーカ１４４およびＬＥＤ１４６を用いて、重要度が「低」のデータを受信した場合には、スピーカ１４４のみを用いて、データを受信したことを携帯端末１００のユーザに報知する。他の装置からデータを受信したことが、スピーカ１４４により報知されるとユーザはその聴覚により、ＬＥＤ１４６により報知されるとユーザはその視覚により、振動機構１４８により報知されるとユーザはその触覚により、データを受信したことを認知する。
【００５９】
Ｓ１１６にて、制御部１２０は、携帯端末１００の電源がオフにされたか否かを判断する。電源がオフにされると（Ｓ１１６にてＹＥＳ）、この処理は終了する。もしそうでないと（Ｓ１１６にてＮＯ）、処理はＳ１００へ戻され、新たなデータの受信を待ち、データを受信すると、受信したデータの内容に基づいてユーザにデータの受信を報知する。
【００６０】
以上のような構造およびフローチャートに基づく、携帯端末１００の動作について説明する。
【００６１】
携帯端末１００が、他の装置からデータを受信すると（Ｓ１００にてＹＥＳ）、受信したデータの第１データエリアが読出される（Ｓ１０２）。第１データエリアに格納されたデータ種類識別符号に基づいて、受信したデータの種類が判別される（Ｓ１０４）。携帯端末１００は、受信データ構造データベース（図２）を参照して、受信したデータのデータ種類が、そのデータベースに登録されているデータ種類か否かを判断する（Ｓ１０６）。受信したデータの種類がデータベースに登録されていると（Ｓ１０６にてＹＥＳ）、指標判断に必要な第１〜第８データエリアが読出される（Ｓ１０８）。指標判断データベース（図３）と、読出された第１〜第８データエリアに格納されたデータとに基づいて、各項目の指標が判断される。受信したデータに、判断した各項目の指標が付加されて、データ記憶部１３４の所定のフォルダに記憶される（Ｓ１２２）。各項目の指標に基づいて、液晶モニタ１４２にデータが出力される（Ｓ１１４）。
【００６２】
液晶モニタ１４２には、たとえば、重要度の指標ごと、かつデータの種類ごとに、受信したデータの数が表示される。また、液晶モニタ１４２には、たとえばデータ量の指標ごと、かつデータの種類ごとに、受信したデータの数が表示される。このときの液晶モニタ１４２の表示例を、それぞれ図５および図６に示す。さらに、液晶モニタ１４２には、受信日時の新しい順に、第５データエリアの内容が表示される。このときの液晶モニタ１４２の表示例を、図７に示す。
【００６３】
図５〜図７に示すような表示が、液晶モニタ１４２に表示されると、携帯端末１００のユーザは、たとえば、重要度の高いものからまたはデータ量の大きなものから受信したデータの内容を所定のアプリケーションを起動させて確認する。また、第５データエリアに格納されたメールの件名、スケジュールデータの件名およびアドレスデータの変更内容などに基づいて、ユーザが受信したデータの内容を確認する。
【００６４】
また、Ｓ１１２における処理により、受信したデータには、判断した各項目の指標が付加されて、データ記憶部１３４の所定のフォルダに記憶される。ユーザが、携帯端末１００の液晶モニタ１４２に、フォルダの一覧を表示させると、図８のように表示される。このとき、新たに受信したデータを含むフォルダは、他のフォルダとは別の形態（異なる色によるフォルダを表示、異なる大きさによりフォルダを表示、画面上でフォルダが振動しているように表示など）で表示される。
【００６５】
以上のようにして、本実施の形態に係る携帯端末は、受信したデータに含まれる、特定のデータエリアの重要度、データ量などを読出して、予め記憶された基準に従って、重要度などの指標を判断する。携帯端末は、判断された指標に基づいて、ユーザに、情報を受信したことを報知する。このとき、たとえば、受信したデータの重要度が高いと判断されると、複数の出力回路を用いてユーザにデータが受信したことが報知される。これにより、重要なデータを受信したことが、確実にユーザに報知できる。その結果、他の装置からデータを受信した場合、アプリケーションを起動することなく、ユーザが、受信した内容を確認するか否かを判断しやすいように、情報を受信したことをユーザに報知できる。
【００６６】
なお、本実施の形態は、図２に示す受信データ構造データベースおよび図３に示す指標判断データベースを有するものに限定されない。受信データのデータ構造を予め記憶していなくても、受信したデータを先頭から読み出して、データの種類や指標を判断するためのデータを検知してもよい。また、指標判断データベースを予め記憶していなくても、データベースを参照せずに、各項目ごとに指標を直接判断してもよい。たとえば、スケジュールのデータに関して、受信の時刻とスケジュールの時刻との差が小さいほど指標を「高」と判断し、ユーザへの報知を行なうようにしてもよい。携帯電話においては、アドレス帳の電話番号のデータについての指標を「高」、住所のデータについての指標を「低」というように、端末の種類により指標を判断するようにしてもよい。また、スケジュールのデータの予定時刻が近づくことに対応して、重要度が高くなるようにして、その重要度に基いて指標を判断するようにしてもよい。さらに、端末の種類、アプリケーションの種類およびデータの種類に基づいて、重要度を算出して、その重要度に基いて指標を判断するようにしてもよい。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態に係る携帯端末の制御ブロック図である。
【図２】  データ記憶部に記憶される受信データ構造データベースを示す図である。
【図３】  データ記憶部に記憶される指標判断データベースを示す図である。
【図４】  本実施の形態に係る携帯端末で実行される処理の手順を示すフローチャートである。
【図５】  液晶モニタの表示例（その１）である。
【図６】  液晶モニタの表示例（その２）である。
【図７】  液晶モニタの表示例（その３）である。
【図８】  液晶モニタの表示例（その４）である。
【符号の説明】
１００  携帯端末、１１０  通信部、１２０  制御部、１３０  記憶部、１３２  プログラム記憶部、１３４  データ記憶部、１４０  出力部、１４２  液晶モニタ、１４４  スピーカ、１４６  ＬＥＤ、１４８  振動機構。
【図１】
0004540260.tif 000002
【図２】
0004540260.tif 000003
【図３】
0004540260.tif 000004
【図４】
0004540260.tif 000005
【図５】
0004540260.tif 000006
【図６】
0004540260.tif 000007
【図７】
0004540260.tif 000008
【図８】
0004540260.tif 000009